(57)【要約】【課題】電源電圧が変動して入力スレッシュ電圧が変動しても、高精度な光信号の伝送が行える発光ダイオード駆動回路を実現する。【解決手段】本発明に係る発光ダイオード駆動回路３は、外部から与えられた電気信号を入力スレッシュ電圧に基づいてハイとローの２レベルからなる電気信号に変換する入力バッファ部４を備えている。該入力バッファ部４は、上記外部から与えられた電気信号の振幅電圧の５０％の電圧値を、上記入力スレッシュ電圧値と同一となるように補正する電圧補正部７を備えている。【選択図】図２
2007317890.tif 000002
【特許請求の範囲】
【請求項１】
電気信号を光信号に変換し、該光信号を光ファイバケーブルを介して伝送する光ファイバリンクの光送信デバイスに備えられる発光ダイオード駆動回路において、
外部のコントローラから与えられる上記電気信号を入力スレッシュ電圧に基づいてハイとローとの２レベルからなる電気信号に変換する入力バッファ部と、
上記入力バッファ部の出力信号により発光ダイオードを駆動し、上記光信号を生成する駆動回路部とを備え、
上記入力バッファ部は、上記外部から与えられる電気信号のパルス幅を規定する電圧値を、常に上記入力スレッシュ電圧値と同一とする電圧補正手段を備えていることを特徴とする発光ダイオード駆動回路。
【請求項２】
上記入力バッファ部は、インバータを備え、該インバータの入力は、上記コントローラから電気信号が入力される第１入力端子と接続されており、
上記電圧補正手段は、
上記インバータの入力と電源との間に接続された第１抵抗と、
上記インバータの入力と上記第１入力端子との間に接続された第２抵抗と、
上記インバータの入力とＧＮＤとの間に接続された定電流源とを備えていることを特徴とする請求項１記載の発光ダイオード駆動回路。
【請求項３】
上記電圧補正手段は、バッファ回路をさらに備えることを特徴とする請求項１または２記載の発光ダイオード駆動回路。
【請求項４】
請求項１〜３のいずれか１項に記載の発光ダイオード駆動回路をモノリシック集積回路で構成することを特徴とする発光ダイオード駆動回路。
【請求項５】
請求項１〜３のいずれか１項に記載の発光ダイオード駆動回路を備えた光送信デバイス。
【請求項６】
請求項５記載の光送信デバイスを備えた光伝送装置。
【発明の詳細な説明】
【技術分野】
【０００１】
本発明は、電気信号を光信号に変換して伝送する光ファイバリンクに好適に用いられる発光ダイオード駆動回路、それを備えた光送信デバイス、並びに光伝送装置に関するものである。
【背景技術】
【０００２】
光ファイバリンクは、送信側で電気信号を光信号に変換して受信側に伝送し、該受信側では受信した上記光信号を電気信号に再変換することで、音声信号や映像信号等の信号を１本の光ファイバで手軽に高速伝送できる。この光ファイバリンクは、デジタル機器の普及に伴って、近年、一般家庭でも広く普及している。
【０００３】
また、近年、自動車へのデジタル機器の搭載も増え、車載デジタル機器間の制御信号、デジタル信号の伝送に光ファイバリンクが採用されている。その理由としては、従来は、車載デジタル機器間の各種信号の伝送をメタルケーブルで行っていたが、上述のような車載デジタル機器の増加に伴い車両の重量が増加し、燃費の低下を招いてしまうことから、軽量化を目的として、比較的軽量なプラスチックファイバが採用されている。
【０００４】
車載デジタル機器は、伝送する信号が従来の音声のみならず、映像といった大量の情報を伝送する用途への採用が広がり、これに伴い光ファイバリンクには、ますます高速化が求められている。このため、伝送する光信号の精度向上が求められている。
【０００５】
また、車載デジタル機器は、その使用環境が従来の民生用機器よりも厳しい。特に、電源電圧に関しては、車載電装機器の動作の影響を受け、大きな変動がある。このため、光ファイバリンクには、電源電圧の変動にも耐えうる光信号の伝送も求められている。
【０００６】
図４は、従来の光ファイバリンク用光送信デバイス１０１（以下、単に、光送信デバイス１０１と記載）の構成例、および該光送信デバイス１０１と、該光送信デバイス１０１へ電気信号を供給するコントローラＩＣ１１０との接続例を示している。
【０００７】
光送信デバイス１０１は、発光ダイオード１０２と、該発光ダイオード１０２を駆動する発光ダイオード駆動回路１０３とを備えている。コントローラＩＣ１１０の電源電圧は、低消費電力化のために３Ｖ化されつつある（ここでは、３Ｖとする）。コントローラＩＣ１１０の出力回路は、略ＭＯＳトランジスタで構成されたゲート出力回路となっているため、コントローラＩＣ１１０の出力信号（上記電気信号）の振幅は、０Ｖから３Ｖとなる。
【０００８】
発光ダイオード駆動回路１０３は、コントローラＩＣ１１０により与えられた電気信号を入力スレッシュ電圧に基づいてハイとローとの２レベルからなる電気信号に変換する（上記電気信号の波形整形を行う）入力バッファ部１０４と、該入力バッファ部１０４の出力信号（上記２レベルの電気信号）により発光ダイオード１０２を駆動する駆動回路部１０５とを備えている。
【０００９】
コントローラＩＣ１１０から光送信デバイス１０１に入力された電気信号は、発光ダイオード駆動回路１０３における入力バッファ部１０４で波形整形され、その後駆動回路部１０５に入力され、発光ダイオード１０２を駆動することとなる。このような光送信デバイスおよび発光ダイオード駆動回路については、例えば特許文献１および２に記載されている。
【００１０】
図５は、入力バッファ部１０４の具体的な構成例を示している。
【００１１】
入力バッファ部１０４は、図示のように、ゲート回路の機能を有する、Ｐチャンネル型ＭＯＳトランジスタＱＰ１（以下、単に、ＰＭＯＳトランジスタＱＰ１と記載）とＮチャンネル型ＭＯＳトランジスＱＮ１（以下、単に、ＮＭＯＳトランジスＱＮ１と記載）とから構成されるインバータ１０６を有している。
【００１２】
ＰＭＯＳトランジスタＱＰ１のソースは電源に接続され、ＮＭＯＳトランジスタＱＮ１のソースはＧＮＤに接続されている。ＰＭＯＳトランジスタＱＰ１およびＮＭＯＳトランジスタＱＮ１の各ゲートは互いに接続され、共通に光送信デバイス１０１の入力端子Ｖｉｎに接続されている。また、ＰＭＯＳトランジスタＱＰ１およびＮＭＯＳトランジスタＱＮ１の各ドレインは互いに接続され、共通に駆動回路部１０５へと接続されている。
【００１３】
入力スレッシュ電圧は、ＰＭＯＳトランジスタＱＰ１およびＮＭＯＳトランジスタＱＮ１のゲート幅の比を変えて調整される。ＮＭＯＳトランジスタＱＮ１のゲート幅を相対的に大きくすると入力スレッシュ電圧は低下し、小さくすると入力スレッシュ電圧は高くなる。ここでは、一例として、ＰＭＯＳトランジスタＱＰ１のゲート幅をＬ／Ｗ＝０．８μｍ／１０μｍ、ＮＭＯＳトランジスタＱＮ１のゲート幅をＬ／Ｗ＝０．８μｍ／３６μｍとし、電源電圧Ｖｃｃが５Ｖで、入力スレッシュ電圧が１．５Ｖになる様に構成している。
【特許文献１】特開２０００−４２０２号公報（２０００年１月７日公開）
【特許文献２】特開２００６−１３１６６号公報（２００６年１月１２日公開）
【発明の開示】
【発明が解決しようとする課題】
【００１４】
ところで、上述のように、入力スレッシュ電圧は、インバータ１０６を構成するＰＭＯＳトランジスタＱＰ１およびＮＭＯＳトランジスタＱＮ１のゲート幅の比を調整して設定しているため、電源電圧がＶｃｃ変動すると、その変動比に比例して入力スレッシュ電圧も変動する。ここで、コントローラＩＣ１１０から与えられる電気信号の立上り時間および立下り時間が十分短くない場合に、上述のような電源電圧Ｖｃｃの変動による入力スレッシュ電圧の変動があると、入力バッファ部１０４においてコントローラＩＣ１１０から与えられる電気信号を判別する時間に誤差が発生、入力バッファ部１０４の出力信号にパルス幅歪が発生する。この現象について、以下、図６および表１を用いて詳細に説明する。
【００１５】
表１は、電源電圧Ｖｃｃの変動による入力スレッシュ電圧の変動を示している。表１に示すように、電源電圧Ｖｃｃが５．００Ｖの場合を基準として±５％変動すると入力スレッシュ電圧も±５％変動する。
【００１６】
【表１】
2007317890.tif 000003
【００１７】
図６は、光送信デバイス１０１の入力信号波形（コントローラＩＣ１１０から供給される電気信号）と入力スレッシュ電圧との関係を示している。なお、図６（ａ）は、電源電圧Ｖｃｃが５．００Ｖの場合を、図６（ｂ）は、電源電圧Ｖｃｃが５．２５Ｖの場合を、図６（ｃ）は、電源電圧Ｖｃｃが４．７５Ｖの場合をそれぞれ示している。
【００１８】
図６（ａ）においては、入力信号の振幅電圧の５０％の電圧値（入力信号のパルス幅を規定する電圧値）（１．５Ｖ）と入力スレッシュ電圧（１．５Ｖ）とが一致しており、入力バッファ部１０４の出力信号にパルス幅歪は発生しない。
【００１９】
図６（ｂ）においては、電源電圧Ｖｃｃが５．２５Ｖへ変動したため、表１に示すように、入力スレッシュ電圧が１．５７５Ｖとなる。入力信号の振幅電圧の５０％の電圧値は１．５Ｖであるため、入力スレッシュ電圧との齟齬が発生する。このため、入力バッファ部１０４の出力信号にパルス幅歪が発生する。図６（ｃ）においては、電源電圧Ｖｃｃが４．７５Ｖへ変動したため、表１に示すように、入力スレッシュ電圧が１．４２５Ｖとなる。入力信号の振幅電圧の５０％の電圧値は１．５Ｖであるため、入力スレッシュ電圧との齟齬が発生する。このため、入力バッファ部１０４の出力信号にパルス幅歪が発生する。
【００２０】
以上のように、従来の入力バッファ部１０４では、電源電圧Ｖｃｃの変動に連動して入力スレッシュ電圧が変動し、これに伴い出力信号にパルス幅歪が発生していた。上述のように、駆動回路部１０５は、入力バッファ部１０４の出力信号に基づいて発光ダイオード１０２を駆動する。このため、高精度な光信号の伝送が行えないという問題を生じていた。
【００２１】
本発明は、上記の問題点に鑑みてなされたものであり、その目的は、電源電圧が変動して入力スレッシュ電圧が変動しても、高精度な光信号の伝送が行える発光ダイオード駆動回路、それを備えた光送信デバイス、並びに光伝送装置を実現することにある。
【課題を解決するための手段】
【００２２】
上述のように、従来の光ファイバリンク用光送信デバイスに備えられる発光ダイオード駆動回路の入力バッファ部では、入力スレッシュ電圧が変動して、外部から与えられる電気信号のパルス幅を規定する電圧値と、上記入力スレッシュ電圧とが同一でない場合、入力バッファ部の出力信号にパルス幅歪が発生してしまう。
【００２３】
そこで、本発明に係る発光ダイオード駆動回路は、電気信号を光信号に変換し、該光信号を光ファイバケーブルを介して伝送する光ファイバリンクの光送信デバイスに備えられる発光ダイオード駆動回路において、上記課題を解決するために、外部のコントローラから与えられる上記電気信号を入力スレッシュ電圧に基づいてハイとローとの２レベルからなる電気信号に変換する入力バッファ部と、上記入力バッファ部の出力信号により発光ダイオードを駆動し、上記光信号を生成する駆動回路部とを備え、上記入力バッファ部は、上記外部から与えられる電気信号のパルス幅を規定する電圧値を、常に上記入力スレッシュ電圧値と同一とする電圧補正手段を備えていることを特徴としている。
【００２４】
上記の構成によれば、本発明に係る発光ダイオード駆動回路の入力バッファ部は、電圧補正手段を備えている。該電圧補正手段は、外部から与えられた電気信号のパルス幅を規定する電圧値を、常に入力スレッシュ電圧値と同一とする。
【００２５】
すなわち、上記光送信デバイスの電源電圧が変動し、上記入力スレッシュ電圧が変動したとしても、上記電気信号のパルス幅を規定する電圧値が、常に上記入力スレッシュ電圧値と同一となるように補正されるため、上記入力バッファ部の出力信号にパルス幅歪が発生しない。駆動回路部は、パルス幅歪が生じない、上記入力バッファ部の出力信号に基づいて光信号を生成するため、電源電圧が変動しても、高精度な光信号の伝送が行える発光ダイオード駆動回路を実現できるという効果を奏する。
【００２６】
本発明に係る発光ダイオード駆動回路の上記入力バッファ部は、インバータを備え、該インバータの入力は、上記コントローラから電気信号が入力される第１入力端子と接続されており、上記電圧補正手段は、上記インバータの入力と電源との間に接続された第１抵抗と、上記インバータの入力と上記第１入力端子との間に接続された第２抵抗と、上記インバータの入力とＧＮＤとの間に接続された定電流源とを備えていることを特徴としている。
【００２７】
上記の構成によれば、上記電圧補正手段は、２つの抵抗と１つの定電流源とで構成され、後述する式（１）に示すように、外部から与えられた電気信号のパルス幅を規定する電圧値を、常に入力スレッシュ電圧値と同一とする。すなわち、上記電圧補正手段は、簡素な構成で実現でき、上記発光ダイオード駆動回路に大規模な回路を追加する必要がない。これにより、上記発光ダイオード駆動回路は、上記効果に加えて、小型化に有利であるという効果も奏する。
【００２８】
ところで、上記発光ダイオード駆動回路の入力インピーダンスは高い方が望ましい。入力インピーダンスが低い場合、上記コントローラとして、ドライブ能力の高いコントローラを用意する必要があり、コントローラの選択に制約を受ける。
【００２９】
そこで、本発明に係る発光ダイオード駆動回路は、上記の構成に加えて、上記入力バッファ部が、バッファ回路をさらに備えることが好ましい。これにより、上記発光ダイオード駆動回路の入力インピーダンスを高めることができ、コントローラの選択に制約を受けることがないという効果を奏する。
【００３０】
本発明に係る発光ダイオード駆動回路は、モノリシック集積回路で構成されていることが好ましい。これにより、上記発光ダイオード駆動回路は、小型化、省スペース化に有利であるという効果を奏する。
【００３１】
本発明に係る光送信デバイスは、上記発光ダイオード駆動回路を備えていることを特徴としている。
【００３２】
上記の構成によれば、本発明に係る光送信デバイスは、上記発光ダイオード駆動回路を備えている。従って、上記光送信デバイスは、上記発光ダイオード駆動回路が奏する効果を奏することができる。例えば、伝送する光信号に劣化を生じない。これにより、電源電圧が変動しても、高精度な光信号の伝送が行える光送信デバイスを実現できるという効果を奏する。
【００３３】
本発明に係る光伝送装置は、上記光送信デバイスを備えていることを特徴としている。
【００３４】
上記の構成によれば、本発明に係る光伝送装置は、上記光送信デバイスを備えている。従って、上記光伝送装置は、上記光送信デバイスが奏する効果を奏することができる。例えば、伝送する光信号に劣化を生じない。これにより、電源電圧が変動しても、高精度な光信号の伝送が行える光伝送装置を実現できるという効果を奏する。
【発明の効果】
【００３５】
本発明に係る発光ダイオード駆動回路は、外部のコントローラから与えられる電気信号を入力スレッシュ電圧に基づいてハイとローとの２レベルからなる電気信号に変換する入力バッファ部と、上記入力バッファ部の出力信号により発光ダイオードを駆動し、上記外部のコントローラから与えられる電気信号に基づく光信号を生成する駆動回路部とを備え、上記入力バッファ部は、上記外部のコントローラから与えられる電気信号のパルス幅を規定する電圧値を、常に上記入力スレッシュ電圧値と同一とする電圧補正手段を備えていることを特徴としている。これにより、電源電圧が変動して入力スレッシュ電圧が変動しても、高精度な光信号の伝送が行える発光ダイオード駆動回路を実現できるという効果を奏する。
【発明を実施するための最良の形態】
【００３６】
〔実施の形態１〕
本発明に係る一実施形態について、図１および図２に基づいて説明すると以下の通りである。
【００３７】
図１は、本実施形態に係る光ファイバリンク用光送信デバイス１（以下、単に、光送信デバイス１と記載）の構成例、および該光送信デバイス１と、該光送信デバイス１へ電気信号を供給するコントローラＩＣ１０（コントローラ）との接続例を示している。なお、コントローラＩＣ１０の構成は、従来のコントローラＩＣ１１０と同一である。従って、コントローラＩＣ１０の出力信号の振幅は、０Ｖから３Ｖとなる。
【００３８】
光送信デバイス１は、発光ダイオード２と、該発光ダイオード２を駆動する発光ダイオード駆動回路３とを備えている。
【００３９】
発光ダイオード駆動回路３は、コントローラＩＣ１０より与えられた電気信号を入力スレッシュ電圧に基づいてハイとローとの２レベルからなる電気信号に変換する（上記電気信号の波形整形を行う）入力バッファ部４と、該入力バッファ部４の出力信号（上記２レベルの電気信号）によって発光ダイオード２を駆動し、コントローラＩＣ１０より与えられた電気信号に基づく光信号を生成する駆動回路部５とを備えている。
【００４０】
コントローラＩＣ１０から光送信デバイス１に入力された電気信号は、発光ダイオード駆動回路３における入力バッファ部４で波形整形され、その後駆動回路部５に入力され、発光ダイオード２を駆動することとなる。
【００４１】
図２は、入力バッファ部４の具体的な構成例を示している。
【００４２】
入力バッファ部４は、図示のように、ゲート回路の機能を有する、Ｐチャンネル型ＭＯＳトランジスタＱＰ１（以下、単に、ＰＭＯＳトランジスタＱＰ１と記載）とＮチャンネル型ＭＯＳトランジスＱＮ１（以下、単に、ＮＭＯＳトランジスＱＮ１と記載）とから構成されるインバータ６、抵抗Ｒ１（第１抵抗）、抵抗Ｒ２（第２抵抗）、および定電流源Ｉ１を有している。
【００４３】
なお、ここでは、ＰＭＯＳトランジスタＱＰ１のゲート幅をＬ／Ｗ＝０．８μｍ／１０μｍ、ＮＭＯＳトランジスタＱＮ１のゲート幅をＬ／Ｗ＝０．８μｍ／６μｍとし、電源電圧Ｖｃｃが５Ｖで、入力スレッシュ電圧が２．５Ｖになるように構成している。また、図示のように、ＰＭＯＳトランジスタＱＰ１およびＮＭＯＳトランジスＱＮ１の各ゲートと抵抗Ｒ１の一端との接続点をＡ点とする。該Ａ点は、インバータ６の入力点であり、Ａ点における信号電圧（インバータ６の入力信号電圧）の振幅の５０％の電圧値を電圧値ＶＡとする。
【００４４】
ＰＭＯＳトランジスタＱＰ１のソースは電源に接続され、ＮＭＯＳトランジスタＱＮ１のソースはＧＮＤに接続されている。ＰＭＯＳトランジスタＱＰ１およびＮＭＯＳトランジスタＱＮ１の各ゲートは互いに接続され、共通にＡ点に接続されている。また、ＰＭＯＳトランジスタＱＰ１およびＮＭＯＳトランジスタＱＮ１の各ドレインは互いに接続され、共通に駆動回路部５へと接続されている。抵抗Ｒ１は、光送信デバイス１の入力端子Ｖｉｎ（第１入力端子）とＡ点との間に接続され、抵抗Ｒ２は、電源とＡ点との間に接続され、定電流源Ｉ１は、Ａ点とＧＮＤとの間に接続されている。
【００４５】
ここで、抵抗Ｒ１、Ｒ２、および定電流源Ｉ１は、電圧補正部７（電圧補正手段）を構成している。該電圧補正部７は、入力バッファ部４の入力信号（コントローラＩＣ１０より与えられた電気信号）の振幅電圧の５０％の電圧値（パルス幅を規定する電圧値）を、常に入力スレッシュ電圧値と同一とするように補正する。
【００４６】
すなわち、電源電圧Ｖｃｃの変動により入力スレッシュ電圧が変動したとしても、電圧値ＶＡが常に入力スレッシュ電圧値と同一となるように補正されるため、入力バッファ部４の出力信号にパルス幅歪が発生しない。駆動回路部５は、パルス幅歪が生じない入力バッファ部４の出力信号に基づいて光信号を生成するため、電源電圧Ｖｃｃが変動して入力スレッシュ電圧が変動しても、高精度な光信号の伝送が行える。以下、表２および表３を用いて詳細に説明する。
【００４７】
表２は、電源電圧Ｖｃｃの変動による入力スレッシュ電圧の変動を示している。表２に示すように、電源電圧Ｖｃｃが５．００Ｖの場合を基準として±５％変動すると入力スレッシュ電圧も±５％変動する。
【００４８】
【表２】
2007317890.tif 000004
【００４９】
表３は、電源電圧Ｖｃｃの変動による電圧値ＶＡの変動を示している。電圧値ＶＡは、以下の式（１）により求められる。
【００５０】
ＶＡ＝（ＶＩＮ×Ｒ２＋Ｖｃｃ×Ｒ１−Ｉ１×Ｒ１×Ｒ２）／（Ｒ１＋Ｒ２）・・・（式１）
ＶＩＮ：入力信号の振幅の５０％の電圧値（１．５Ｖ）
Ｖｃｃ：電源電圧値（４．７５Ｖ〜５．２５Ｖ）
Ｒ１：抵抗Ｒ１の抵抗値（１ＫΩ）
Ｒ２：抵抗Ｒ２の抵抗値（１ＫΩ）
Ｉ１：定電流源Ｉ１の電流値（１．５ｍＡ）
表３に示すように、電源電圧Ｖｃｃが５．００Ｖの場合を基準として±５％変動すると電圧値ＶＡも±５％変動する。
【００５１】
【表３】
2007317890.tif 000005
【００５２】
表２および表３に示すように、電圧値ＶＡと入力スレッシュ電圧値とは、常に同一となる。
【００５３】
以上のように、本実施形態では、入力バッファ部４の入力信号の振幅電圧の５０％の電圧値を、常に入力スレッシュ電圧値と同一とするように補正する電圧補正部７を設けている。これにより、電源電圧Ｖｃｃの変動により入力スレッシュ電圧が変動したとしても、入力バッファ部４の出力信号にパルス幅歪が発生しない。駆動回路部５は、パルス幅歪が生じない入力バッファ部４の出力信号に基づいて光信号を生成するため、電源電圧Ｖｃｃが変動して入力スレッシュ電圧が変動しても、高精度な光信号の伝送が行える。従って、本実施形態の構成を、電源電圧Ｖｃｃが変動しやすい車載用として用いれば、極めて有効である。
【００５４】
また、上述のように、電圧補正部７は簡素な構成で実現できる。従って、発光ダイオード駆動回路３に、大規模な回路を追加する必要がなく、発光ダイオード駆動回路３の小型化に有利である。当然、光送信デバイス１、該光送信デバイス１を備えた光伝送装置の小型化にも有利である。なお、上記光伝送装置は、光送信デバイス１およびコントローラＩＣ１０からなり、例えば、自動車のダッシュボード部にあるＤＶＤプレーヤの映像を後部座席の表示装置に伝送する装置等が挙げられる。
【００５５】
〔実施の形態２〕
本発明に係る他の実施形態について、図３に基づいて説明すると以下の通りである。なお、図２に示した、入力バッファ部４の部材と同一の符号を付した部材は同一の機能を有するものとし、その説明を省略する。
【００５６】
本実施形態は、実施の形態１における発光ダイオード駆動回路３の入力インピーダンスを高めることを目的としている。発光ダイオード駆動回路３の入力インピーダンスが低い場合、コントロールＩＣ１０として、ドライブ能力の高いコントロールＩＣを用意する必要があり、コントロールＩＣの選択に制約を受ける。このため、発光ダイオード駆動回路３の入力インピーダンスは、高い方が望ましい。
【００５７】
図３は、本実施形態に係る入力バッファ部４Ａの具体的な構成例を示している。なお、入力バッファ部４Ａは、入力バッファ部４として、発光ダイオード駆動回路３に備えることができる。
【００５８】
入力バッファ部４Ａは、図示のように、入力バッファ部４の構成に加えて、光送信デバイス１の入力端子Ｖｉｎと抵抗Ｒ１との間にバッファ回路８を設けた構成である。バッファ回路８を設けることにより、発光ダイオード駆動回路３の入力インピーダンスを高めることができ、コントロールＩＣの選択に制約を受けることがない。
【００５９】
また、各実施形態で示した構成を、モノリシック集積回路で構成することにより、小型化、省スペース化に有利である。
【００６０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００６１】
車載用光ファイバリンクに好適に用いることができる。
【図面の簡単な説明】
【００６２】
【図１】本発明の実施形態を示すものであり、光送信デバイスの構成例、および該光送信デバイスとコントローラＩＣとの接続例を示す図である。
【図２】上記光送信デバイスに備えられる入力バッファ部の構成例を示す回路図である。
【図３】本発明の他の実施形態を示すものであり、上記入力バッファ部の他の構成例を示す回路図である。
【図４】従来技術を示すものであり、光送信デバイスの構成例、および該光送信デバイスとコントローラＩＣとの接続例を示す図である。
【図５】上記従来の光送信デバイスに備えられる入力バッファ部の構成例を示す回路図である。
【図６】上記従来の光送信デバイスの入力信号波形と上記従来の入力バッファ部の入力スレッシュ電圧との関係を示す図である。
【符号の説明】
【００６３】
１、１０１    光送信デバイス（光ファイバリンク用光送信デバイス）
２、１０２    発光ダイオード
３、１０３    発光ダイオード駆動回路
４、１０４    入力バッファ部
５、１０５    駆動回路部
７            電圧補正部
８            バッファ回路
【図１】
2007317890.tif 000006
【図２】
2007317890.tif 000007
【図３】
2007317890.tif 000008
【図４】
2007317890.tif 000009
【図５】
2007317890.tif 000010
【図６】
2007317890.tif 000011